(57)【要約】ＣＤＭＡ−２０００信号，ＷＣＤＭＡ信号を送受信するＲＦアンテナと，ＲＦアンテナが伝達するＷＣＤＭＡパイロット信号を受信及び復調し，ＷＣＤＭＡパイロット信号を出力するＲＦ送受信部と，ＷＣＤＭＡパイロット信号の強さを測定してＥｃ／Ｉｏ値を生成するパイロット信号測定部と，ＷＣＤＭＡモデム及びＣＤＭＡ−２０００モデムと，Ｅｃ／Ｉｏ値を利用してＷＣＤＭＡモデムとＣＤＭＡ−２０００モデムとの間の切替を遂行するモデム間切替プログラムが格納されたフラッシュメモリと，Ｅｃ／Ｉｏ値が所定のしきい値より小さな値を有する経過時間が，予め設定されたＣＤＭＡ−２０００オン条件時間より大きければ，ＣＤＭＡ−２０００モデムをオン状態に転換するよう制御する制御部とを含むＭＭ−ＭＢ端末機を提供する。これにより，ＭＭ−ＭＢ端末機に内蔵されたＷＣＤＭＡモデムとＣＤＭＡ−２０００モデムとの切替にかかる時間を大いに低減できる。
2007508738.tif 000002
【特許請求の範囲】
【請求項１】
オーバーレイ（Overlay）地域からＣＤＭＡ−２０００地域へ移動する遊休（Idle）状態のＭＭ−ＭＢ（Multimode-Multiband）端末機に内蔵されたモデム間切替方法であって：
（ａ）ＷＣＤＭＡシステムから伝送されるＷＣＤＭＡ信号を受信してＥｃ／Ｉｏ（Energy of Carrier/Interference of Others）値を測定するステップと；
（ｂ）前記Ｅｃ／Ｉｏ値が所定のＣＤＭＡ−２０００オンしきい値（ＴＨＯＮ）より小さいかどうかを判断するステップと；
（ｃ）前記Ｅｃ／Ｉｏ値が前記ＴＨＯＮより小さい場合に，タイマーを駆動して経過時間をチェックして，前記経過時間が所定のＣＤＭＡ−２０００オン条件時間（Ｈｄ）を超過するかどうかを判断するステップと；
（ｄ）前記経過時間が所定の前記Ｈｄを超過した場合に，ＣＤＭＡ−２０００モデムをオン（ＯＮ）状態に転換するステップと；
（ｅ）ＣＤＭＡ−２０００システムへの初期化（Initialization）作業を遂行して，前記ＭＭ−ＭＢ端末機をＣＤＭＡ−２０００遊休状態に転換するステップと；
を含むことを特徴とする，モデム間切替方法。
【請求項２】
前記ステップ（ａ）において，
前記ＭＭ−ＭＢ端末機は，共同パイロットチャンネル（ＣＰＩＣＨ:Common Pilot Channel）を周期的に検索して前記ＷＣＤＭＡ信号を受信することを特徴とする，請求項１に記載のモデム間切替方法。
【請求項３】
前記ステップ（ｃ）において，
前記経過時間は，前記Ｅｃ／Ｉｏ値が前記ＣＤＭＡ−２０００オンしきい値より小さな値を維持する累積時間であることを特徴とする，請求項１に記載のモデム間切替方法。
【請求項４】
前記ステップ（ｅ）において，
前記初期化作業は，システム決定副状態（System Determination Substate），パイロットチャンネル獲得副状態（Pilot channel Acquisition Substate）及びシンクチャンネル獲得副状態（Sync Channel Acquisition Substate）を経て遂行されることを特徴とする，請求項１にモデム間切替方法。
【請求項５】
前記ステップ（ｅ）において，
前記ＭＭ−ＭＢ端末機は，前記ＣＤＭＡ−２０００遊休状態に転換されれば，ＷＣＤＭＡモデムをオフ（ＯＦＦ）状態に転換することを特徴とする，請求項１にモデム間切替方法。
【請求項６】
オーバーレイ（Overlay）地域からＣＤＭＡ−２０００地域へ移動するトラフィック（Traffic）状態のＭＭ−ＭＢ（Multimode-Multiband）端末機に内蔵されたモデム間切替方法であって：
（ａ）ＷＣＤＭＡシステムから伝送されるＷＣＤＭＡ信号を受信してＥｃ／Ｉｏ（Energy of Carrier/Interference of Others）値を測定するステップと；
（ｂ）前記Ｅｃ／Ｉｏ値が所定のＣＤＭＡ−２０００オンしきい値（ＴＨＯＮ）より小さいかどうかを判断するステップと；
（ｃ）前記Ｅｃ／Ｉｏ値が前記ＴＨＯＮより小さい場合に，タイマーを駆動して経過時間をチェックして，前記経過時間が所定のＣＤＭＡ−２０００オン条件時間（Ｈｄ）を超過するかどうかを判断するステップと；
（ｄ）前記経過時間が所定の前記Ｈｄを超過した場合に，ＣＤＭＡ−２０００モデムをオン（ＯＮ）状態に転換し，ＷＣＤＭＡ呼が終了されるかどうかを判断するステップと；
（ｅ）前記ＷＣＤＭＡ呼が終了される場合，ＣＤＭＡ−２０００システムへの初期化（Initialization）作業を遂行して，前記ＭＭ−ＭＢ端末機をＣＤＭＡ−２０００遊休状態に転換するステップと；
を含むことを特徴とする，モデム間切替方法。
【請求項７】
前記ステップ（ａ）において，
前記ＭＭ−ＭＢ端末機は，共同パイロットチャンネル（ＣＰＩＣＨ:Common Pilot Channel）を周期的に検索して前記ＷＣＤＭＡ信号を受信することを特徴とする，請求項６に記載のモデム間切替方法。
【請求項８】
前記ステップ（ｃ）において，
前記経過時間は，前記Ｅｃ／Ｉｏ値が前記ＣＤＭＡ−２０００オンしきい値より小さな値を維持する累積時間であることを特徴とする，請求項６に記載のモデム間切替方法。
【請求項９】
前記ステップ（ｄ）において前記ＷＣＤＭＡ呼が終了されていない場合，
（ｄ１）前記Ｅｃ／Ｉｏ値が所定のＣＤＭＡ−２０００オフしきい値（ＴＨＯＦＦ）より大きいかどうかを判断するステップと，
（ｄ２）前記Ｅｃ／Ｉｏ値が前記ＴＨＯＦＦより大きい場合，タイマーを駆動して経過時間をチェックして，前記経過時間が所定のＣＤＭＡ−２０００オフ条件時間（ＨＣ）を超過するかどうかを判断するステップと，
（ｄ３）前記経過時間が前記ＣＤＭＡ−２０００オフ条件時間（ＨＣ）を超過する場合，オン状態の前記ＣＤＭＡ−２０００モデムをオフ状態に転換し，前記ステップ（ａ）に戻るステップと，
を含むことを特徴とする，請求項６に記載のモデム間切替方法。
【請求項１０】
前記ステップ（ｄ１）において，
前記ＭＭ−ＭＢ端末機は，前記Ｅｃ／Ｉｏ値が前記ＣＤＭＡ−２０００オフしきい値（ＴＨＯＦＦ）より小さいと判断されれば，前記ステップ（ｄ）に進行してＷＣＤＭＡ呼の終了の可否を再度チェックすることを特徴とする，請求項９に記載のモデム間切替方法。
【請求項１１】
前記ステップ（ｄ２）において，
前記経過時間は，前記Ｅｃ／Ｉｏ値が前記ＣＤＭＡ−２０００オフしきい値より大きい値を維持する累積時間であることを特徴とする，請求項９に記載のモデム間切替方法。
【請求項１２】
前記ＭＭ−ＭＢ端末機は，前記経過時間が前記ＣＤＭＡ−２０００オフ条件時間（ＨＣ）より小さいと判断されれば，前記ステップ（ｄ）に進行してＷＣＤＭＡ呼の終了の可否をまたチェックすることを特徴とする，請求項９または１１に記載のモデム間切替方法。
【請求項１３】
前記ステップ（ｅ）において前記ＷＣＤＭＡ呼が終了される場合，
（ｅ１）ＷＣＤＭＡシステムの異なるサービスチャンネル（ＦＡ:Frequency Assignment）を検索するステップと，
（ｅ２）ＷＣＤＭＡ信号が検索されるかを判断するステップと，
（ｅ３）前記ＷＣＤＭＡ信号が検索されれば，ＷＣＤＭＡ遊休状態に転換するステップと，
を含むことを特徴とする，請求項６に記載のモデム間切替方法。
【請求項１４】
前記ステップ（ｅ２）において，
前記ＭＭ−ＭＢ端末機は，前記ＷＣＤＭＡ信号が検索されない場合には，ＣＤＭＡ−２０００システムへの初期化を遂行してＣＤＭＡ−２０００遊休状態に転換することを特徴とする，請求項１３に記載のモデム間切替方法。
【請求項１５】
前記ＭＭ−ＭＢ端末機は，前記ＣＤＭＡ−２０００遊休状態に転換されれば，ＷＣＤＭＡモデムをオフ（ＯＦＦ）状態に転換することを特徴とする，請求項１４に記載のモデム間切替方法。
【請求項１６】
ＣＤＭＡ−２０００地域からオーバーレイ（Overlay）地域へ移動する遊休（Idle）状態のＭＭ−ＭＢ（Multimode-Multiband）端末機に内蔵されたモデム間切替方法であって：
（ａ）ＣＤＭＡ−２０００遊休状態で動作しながら呼出チャンネル（Paging Channel）を周期的にモニタリング（Monitoring）するステップと；
（ｂ）ＣＤＭＡ−２０００システムから受信するオーバーヘッドメッセージ（Overhead Message）を分析して，前記ＭＭ−ＭＢ端末機がオーバーレイ地域に位置するかどうかを判断するステップと；
（ｃ）オーバーレイ地域に位置する判断されれば，ＷＣＤＭＡモデムをオン（ＯＮ）状態に転換するステップと；
（ｄ）ＷＣＤＭＡシステムへの初期化（Initialization）作業を遂行して，前記ＭＭ−ＭＢ端末機をＷＣＤＭＡ遊休状態に転換するステップと；
を含むことを特徴とする，モデム間切替方法。
【請求項１７】
前記ステップ（ｂ）において，
前記ＭＭ−ＭＢ端末機は，前記オーバーヘッドメッセージに含まれたシステムパラメータメッセージ（System Parameter Message）のＢａｓｅ  ＩＤを確認して，前記ＭＭ−ＭＢ端末機がオーバーレイ地域に位置するかどうかを判断することを特徴とする，請求項１６に記載のモデム間切替方法。
【請求項１８】
前記ステップ（ｂ）において，
前記ＭＭ−ＭＢ端末機がオーバーレイ地域に位置しないと判断されれば，前記ステップ（ａ）に進行して呼出チャンネルを再度モニタリングすることを特徴とする，請求項１６に記載のモデム間切替方法。
【請求項１９】
前記ステップ（ｄ）において，
前記ＭＭ−ＭＢ端末機は，前記ＷＣＤＭＡ遊休状態に転換されれば，ＣＤＭＡ−２０００モデムをオフ（ＯＦＦ）状態に転換することを特徴とする，請求項１６に記載のモデム間切替方法。
【請求項２０】
ＣＤＭＡ−２０００地域からオーバーレイ（Overlay）地域へ移動するトラフィック（Traffic）状態のＭＭ−ＭＢ（Multimode-Multiband）端末機に内蔵されたモデム間切替方法であって：
（ａ）ＣＤＭＡ−２０００トラフィック状態で動作しながら呼出チャンネル（Paging Channel）を周期的にモニタリング（Monitoring）するステップと；
（ｂ）ＣＤＭＡ−２０００システムから受信するオーバーヘッドメッセージ（Overhead Message）を分析して，前記ＭＭ−ＭＢ端末機がオーバーレイ地域に位置するかどうかを判断するステップと；
（ｃ）オーバーレイ地域に位置する判断されれば，前記トラフィック状態を維持しながらＣＤＭＡ−２０００呼が終了されるかどうかを判断するステップと；
（ｄ）前記ＣＤＭＡ−２０００呼が終了された場合，ＷＣＤＭＡモデムをオン（ＯＮ）状態に転換するステップと；
（ｅ）ＷＣＤＭＡシステムへの初期化（Initialization）作業を遂行して，前記ＭＭ−ＭＢ端末機をＷＣＤＭＡ遊休状態に転換するステップと；
を含むことを特徴とする，モデム間切替方法。
【請求項２１】
前記ＭＭ−ＭＢ端末機は，前記オーバーヘッドメッセージに含まれたシステムパラメータメッセージ（System Parameter Message）のＢａｓｅ  ＩＤを確認してオーバーレイ地域であるかどうかを判断することを特徴とする，請求項２０に記載のモデム間切替方法。
【請求項２２】
前記ステップ（ｂ）において，
前記ＭＭ−ＭＢ端末機がオーバーレイ地域に位置しないと判断されれば，前記ステップ（ａ）に進行して呼出チャンネルをまたモニタリングすることを特徴とする，請求項２０に記載のモデム間切替方法。
【請求項２３】
前記ステップ（ｅ）において，
前記ＭＭ−ＭＢ端末機は，前記ＷＣＤＭＡ遊休状態に転換されれば，ＣＤＭＡ−２０００モデムをオフ（ＯＦＦ）状態に転換することを特徴とする，請求項２０に記載のモデム間切替方法。
【請求項２４】
同期式ＣＤＭＡ−２０００サービスと非同期式ＷＣＤＭＡサービスの利用が可能であり，２つ以上の周波数帯域の利用が可能なマルチモード−マルチバンド（ＭＭ−ＭＢ:Multimode-Multiband）端末機であって：
ＣＤＭＡ−２０００信号及び／またはＷＣＤＭＡ信号を送受信するＲＦ（Radio Frequency）アンテナと；
前記ＲＦアンテナが伝達するＷＣＤＭＡパイロット信号を受信及び復調して，復調されたＷＣＤＭＡパイロット（Pilot）信号を出力するＲＦ送受信部と；
前記復調されたＷＣＤＭＡパイロット信号の強さを測定してＥｃ／Ｉｏ値を生成して出力するパイロット信号測定部と；
前記ＲＦ送受信部から受信するディジタル信号を処理し，それぞれＷＣＤＭＡ規格，ＣＤＭＡ−２０００規格に定義されたプロトコル（Protocol）により呼処理（Call Processing）を遂行するＷＣＤＭＡモデム及びＣＤＭＡ−２０００モデムと；
前記Ｅｃ／Ｉｏ値を利用して前記ＷＣＤＭＡモデムと前記ＣＤＭＡ−２０００モデムとの間の切替を遂行するためのモデム間切替プログラムが格納されているフラッシュメモリ（Flash Memory）と；
前記モデム間切替プログラムをローディングし受信する前記Ｅｃ／Ｉｏ値が所定のＣＤＭＡ−２０００オンしきい値（ＴＨＯＮ）より小さな値を有する経過時間が，所定のＣＤＭＡ−２０００オン条件時間（Ｈｄ）より大きければ，前記ＣＤＭＡ−２０００モデムをオン（ＯＮ）状態に転換するように制御する制御部と；
を含むことを特徴とする，マルチモード−マルチバンド端末機。
【請求項２５】
前記制御部は，前記Ｅｃ／Ｉｏ値が前記ＣＤＭＡ−２０００オンしきい値より小さくなり始める，又は，受信するシステム情報を分析してオーバーレイ地域に進入したと判断されれば，前記モデム間切替プログラムをローディング（Loading）することを特徴とする，請求項２４に記載のマルチモード−マルチバンド端末機。
【請求項２６】
前記制御部は，前記ＣＤＭＡ−２０００モデムをオン状態に転換し，ＣＤＭＡ−２０００システムへの初期化を完了してＣＤＭＡ−２０００遊休状態に転換されれば，駆動中の前記ＷＣＤＭＡモデムをオフ（ＯＦＦ）状態に転換するように制御することを特徴とする，請求項２４に記載のマルチモード−マルチバンド端末機。
【請求項２７】
前記制御部は，オフ状態の前記ＣＤＭＡ−２０００モデムをオン状態に転換したとしても，受信する前記Ｅｃ／Ｉｏ値が所定のＣＤＭＡ−２０００オフしきい値（ＴＨＯＦＦ）より大きな値を有する経過時間が所定のＣＤＭＡ−２０００オフ条件時間（ＨＣ）より大きければ，前記ＣＤＭＡ−２０００モデムをオフ状態に転換するように制御することを特徴とする，請求項２４に記載のマルチモード−マルチバンド端末機。
【請求項２８】
前記制御部は，前記ＷＣＤＭＡモデムをオン状態に転換し，ＷＣＤＭＡシステムへの初期化を完了してＷＣＤＭＡ遊休状態に転換されれば，駆動中の前記ＣＤＭＡ−２０００モデムをオフ状態に転換するように制御することを特徴とする，請求項２４に記載のマルチモード−マルチバンド端末機。
【請求項２９】
前記ＣＤＭＡ−２０００オンしきい値（ＴＨＯＮ），前記ＣＤＭＡ−２０００オン条件時間（Ｈｄ），前記ＣＤＭＡ−２０００オフしきい値（ＴＨＯＦＦ），及び前記ＣＤＭＡ−２０００オフ条件時間（Ｈｃ）に関する情報は，前記モデム間切替プログラムに記憶されていることを特徴とする，請求項２４または２７に記載のマルチモード−マルチバンド端末機。
【請求項３０】
前記ＭＭ−ＭＢ端末機は，前記経過時間をチェックして前記制御部に報告するためのタイマー（Timer）を内蔵することを特徴とする，請求項２４に記載のマルチモード−マルチバンド端末機。
【発明の詳細な説明】
【技術分野】
【０００１】
本発明は，マルチモード−マルチバンド（ＭＭ−ＭＢ：Multimode-Multiband）端末機のモデム切替方法に関し，より詳しくは，ＷＣＤＭＡ優先モードで作動するマルチモード−マルチバンド端末機がオーバーレイ（Overlay）地域からＣＤＭＡ−２０００地域へ移動する場合，測定されるＷＣＤＭＡパイロット（Pilot）信号の強さが一定条件を充足すれば，マルチモード−マルチバンド端末機をＣＤＭＡ−２０００遊休状態に予め転換するようにしてモデム切替時間を減らす方法に関する。
【背景技術】
【０００２】
移動通信サービスは，１９８０年代後半からサービスされ始めたアナログセルラー方式のＡＭＰＳ（Advanced Mobile Phone Service）から提供する低品質の音声通話中心の第１世代の移動通信サービスから始めて持続的に発展している。第２世代の移動通信サービスでは，ディジタルセルラー方式のＧＳＭ（Global System for Mobile），ＣＤＭＡ（Code Division Multiple Access），ＴＤＭＡ（Time Division Multiple Access）などから提供する向上した音声通話及び低速（１４．４Ｋｂｐｓ）データサービスが可能であった。また，第２．５世代の移動通信サービスではＧＨｚ帯の周波数の確保と共に，全世界的に使用が可能なＰＣＳ（Personal Communication Service）が開発されて向上した音声通話及び低速（１４４Ｋｂｐｓ）であるがデータサービスも可能になった。
【０００３】
第２．５世代までの移動通信サービスのための移動通信網には，使用者端末機，基地局伝送器，基地局制御器，移動交換局，ホーム位置登録器（ＨＬＲ:Home Location Register），訪問者位置登録器（ＶＬＲ:Visitor Location Register）などの各種通信装備が設けられている。
【０００４】
第３世代の移動通信サービスは，３ＧＰＰ（Generation Partnership Project）が主軸になって提案した非同期方式のＷＣＤＭＡシステムと，３ＧＰＰ２が主軸になって提案した同期方式のＣＤＭＡ−２０００システムに分類されて提供されている。特に，ＷＣＤＭＡシステムは，ＩＭＴ−２０００で勧告する無線プロトコルであって，全世界的に多くの通信サービス事業者がサービスを提供していたりサービスの提供を準備している。
【０００５】
ＷＣＤＭＡシステムは，高い通話品質を有し，帯域拡散方式を使用しているので，多量のデータ伝送にも適しているという長所を有する。ＷＣＤＭＡ通信方式は，音声コーディングのために３２Ｋｂｐｓ  ＡＤＰＣＭ（Adaptive Differential Pulse Code Modulation）を採択したのであり，使用者が時速１００Ｋｍ程度の速度で動いても通話が可能な程度の高い移動性を支援する。また，ＷＣＤＭＡ通信方式は最も多い国家が採択しており，韓国，ヨーロッパ，日本，米国，中国などの多くの機関が構成した３ＧＰＰでＷＣＤＭＡのための技術スペック（spec）を持続的に発展させて行っている。
【０００６】
一方，最近，前述したＷＣＤＭＡシステムの長所により，ＣＤＭＡ−２０００サービスを基本的に提供する韓国，米国，中国などのような国でも，ＷＣＤＭＡ網を構築してＷＣＤＭＡサービスを提供し始めた。
【０００７】
図１は，ＣＤＭＡ−２０００網が基本的に構築された通信環境でＷＣＤＭＡサービスを提供するための移動通信網を簡略に示すブロック図である。
【０００８】
ＣＤＭＡ−２０００サービスを提供するＣＤＭＡ−２０００地域１２０で，ＷＣＤＭＡサービスはＣＤＭＡ−２０００地域１２０内の一部領域に提供されている。ＣＤＭＡ−２０００地域１２０内におけるＷＣＤＭＡサービス地域をオーバーレイ地域１３０，１４０という。即ち，使用者はオーバーレイ地域では，提供されるＣＤＭＡ−２０００サービスとＷＣＤＭＡサービスのうち，希望する１つのサービスを選択的に提供受けることができる。勿論，ＣＤＭＡ−２０００サービスとＷＣＤＭＡサービスを利用するためには，マルチモード−マルチバンド端末機が必要である。
【０００９】
マルチモード−マルチバンド（ＭＭ−ＭＢ:Multimode-Multiband；以下，‘ＭＭ−ＭＢ’と称する）端末機１１０，１１２は，マルチモードとマルチバンドを支援する端末機である。ここで，マルチモードは同期式モードと非同期式モードなどを含み，マルチバンドは８００ＭＨｚの周波数バンドを利用する第２世代の移動通信サービス，１．８ＧＨｚの周波数バンドを利用する第２．５世代の移動通信サービス，略２ＧＨｚの周波数バンドを利用する第３世代の移動通信サービス及び今後サービスされる第４世代の移動通信サービスを含む。ＭＭ−ＭＢ端末機１１０，１１２は，自身が位置している地域で提供する通信サービスの種類によってＷＣＭＤＡモードやＩＭＴ−２０００モードなどに転換して動作する。
【００１０】
図２は，従来のＭＭ−ＭＢ端末機１１０の内部構成を簡略に示すブロック図である。
【００１１】
従来，ＭＭ−ＭＢ端末機１１０は，ＲＦアンテナ２１０，ＲＦ送受信部２２０，フィルタ部２３０，モデム部２４０及び制御部２５０などを含む。
【００１２】
ＲＦアンテナ２１０は周辺の無線基地局から送出されるＲＦ信号を受信して伝達し，ＲＦ送受信部２２０はＲＦアンテナ２１０からＲＦ信号を受信及び復調して復調されたＲＦ信号をフィルタ部２３０に伝達する。勿論，ＲＦ送受信部２２０は，制御部２５０の制御によりフィルタ部２３０及びモデム部２４０を通じて受信する送信データを変調してＲＦアンテナ２１０を通じて送出する。
【００１３】
フィルタ部２３０とモデム部２４０は，各々ＷＣＤＭＡサービスのためのＷＣＤＭＡフィルタ２３２及びＷＣＤＭＡモデム２４２と，ＣＤＭＡ−２０００サービスのためのＣＤＭＡ−２０００フィルタ２３４及びＣＤＭＡ−２０００モデム２４４を各々備えている。フィルタ部２３０は，ＭＭ−ＭＢ端末機１１０の動作モードによりＲＦ送受信部２２０から受信する復調されたＲＦ信号をＷＣＤＭＡフィルタ２３２やＣＤＭＡ−２０００フィルタ２３４を利用して希望するディジタル信号のみを抽出してモデム部２４０に伝達する。また，モデム（Modem）部２４０はフィルタ部２３０から受信するディジタル信号を処理し，ＷＣＤＭＡやＣＤＭＡ−２０００に定義されたプロトコルによる呼処理（Call Processing）を担当する。
【００１４】
制御部２５０は，ＭＭ−ＭＢ端末機１１０の全般的な動作を制御する部分であって，受信するＲＦ信号の種類（ＷＣＤＭＡ信号やＣＤＭＡ−２０００信号）によりＭＭ−ＭＢ端末機１１０をＷＣＤＭＡモードやＣＤＭＡ−２０００モード中の１つのモードを選択して動作するようにする。また，特定の動作モードが選択されればモデム部２４０に制御信号を伝送してＷＣＤＭＡモデム２４２やＣＤＭＡ−２０００モデム２４４のうち，該当する特定のモデムが起動するように制御する。
【００１５】
一方，図１において，ＭＭ−ＭＢ端末機１１０がオーバーレイ地域１３０からＣＤＭＡ−２０００地域１２０へ移動したり，ＣＤＭＡ−２０００地域１２０からオーバーレイ地域１３０へ移動する場合，ＷＣＤＭＡモードとＣＤＭＡ−２０００モード間の転換が必要になる。即ち，オーバーレイ地域１３０でＷＣＤＭＡサービスを受けていたＭＭ−ＭＢ端末機１１０がＣＤＭＡ−２０００地域１２０へ移動すれば，ＷＣＤＭＡモードからＣＤＭＡ−２０００モードへ転換することになるものである。
【００１６】
一方，図２で説明したように，ＭＭ−ＭＢ端末機１１０がＷＣＤＭＡモードからＣＤＭＡ−２０００モードへ転換するためには，動作中のＷＣＤＭＡモデム２４２の動作を中止し，ＣＤＭＡ−２０００モデムを起動しなければならない。したがって，現在移動通信環境では，ＭＭ−ＭＢ端末機１１０がオーバーレイ地域１３０から外れた後，即ちＷＣＤＭＡ信号が受信できないことになった後に，ＣＤＭＡ−２０００モデム２４４を起動する方式を利用している。
【００１７】
しかしながら，オーバーレイ地域１３０から外れてＷＣＤＭＡ網と呼が断絶された後にＣＤＭＡ−２０００モデムを起動する現在の方法は，ＭＭ−ＭＢ端末機１１０がＷＣＤＭＡモードからＣＤＭＡ−２０００モードに転換するために略１０秒乃至１５秒程度の時間がかかる。したがって，オーバーレイ地域１３０からＣＤＭＡ−２０００地域１２０へ移動するＭＭ−ＭＢ端末機１１０は，ＣＤＭＡ−２０００モードに完全に転換される１０秒乃至１５秒程度の比較的長時間，移動通信サービスを全く利用できなくなる問題がある。
勿論，先には，オーバーレイ地域１３０にあるＭＭ−ＭＢ端末機１１０がＣＤＭＡ−２０００地域１２０へ移動する場合に対してのみ説明したが，ＣＤＭＡ−２０００地域１２０にあるＭＭ−ＭＢ端末機１１２がオーバーレイ地域１４０へ移動する場合にも同一な問題が発生するはずである。
【発明の開示】
【発明が解決しようとする課題】
【００１８】
前述した問題を解決するために，本発明は，ＷＣＤＭＡ優先モードで作動するマルチモード−マルチバンド端末機がオーバーレイ地域からＣＤＭＡ−２０００地域へ移動する場合，測定されるＷＣＤＭＡパイロット信号の強さが一定条件を充足させればＣＤＭＡ−２０００遊休状態に予め転換するようにして，モデム間切替時間を減らす方法を提供することを目的とする。
【課題を解決するための手段】
【００１９】
本発明の第１の観点によれば，オーバーレイ（Overlay）地域からＣＤＭＡ−２０００地域へ移動する遊休（Idle）状態のＭＭ−ＭＢ（Multimode-Multiband）端末機に内蔵されたモデム間切替方法であって：（ａ）ＷＣＤＭＡシステムから伝送されるＷＣＤＭＡ信号を受信してＥｃ／Ｉｏ（Energy of Carrier/Interference of Others）値を測定するステップと；（ｂ）前記Ｅｃ／Ｉｏ値が所定のＣＤＭＡ−２０００オンしきい値（ＴＨＯＮ）より小さいかどうかを判断するステップと；（ｃ）前記Ｅｃ／Ｉｏ値が前記ＴＨＯＮより小さい場合に，タイマーを駆動して経過時間をチェックして，前記経過時間が所定のＣＤＭＡ−２０００オン条件時間（Ｈｄ）を超過するかどうかを判断するステップと；（ｄ）前記経過時間が所定の前記Ｈｄを超過した場合に，ＣＤＭＡ−２０００モデムをオン（ＯＮ）状態に転換するステップと；（ｅ）ＣＤＭＡ−２０００システムへの初期化（Initialization）作業を遂行して，前記ＭＭ−ＭＢ端末機をＣＤＭＡ−２０００遊休状態に転換するステップと；を含むことを特徴とするモデム間切替方法が提供される。
【００２０】
本発明の第２の観点によれば，オーバーレイ（Overlay）地域からＣＤＭＡ−２０００地域へ移動するトラフィック（Traffic）状態のＭＭ−ＭＢ（Multimode-Multiband）端末機に内蔵されたモデム間切替方法であって：（ａ）ＷＣＤＭＡシステムから伝送されるＷＣＤＭＡ信号を受信してＥｃ／Ｉｏ（Energy of Carrier/Interference of Others）値を測定するステップと；（ｂ）前記Ｅｃ／Ｉｏ値が所定のＣＤＭＡ−２０００オンしきい値（ＴＨＯＮ）より小さいかどうかを判断するステップと；（ｃ）前記Ｅｃ／Ｉｏ値が前記ＴＨＯＮより小さい場合に，タイマーを駆動して経過時間をチェックして，前記経過時間が所定のＣＤＭＡ−２０００オン条件時間（Ｈｄ）を超過するかどうかを判断するステップと；（ｄ）前記経過時間が所定の前記Ｈｄを超過した場合に，ＣＤＭＡ−２０００モデムをオン（ＯＮ）状態に転換し，ＷＣＤＭＡ呼が終了されるかどうかを判断するステップと；（ｅ）前記ＷＣＤＭＡ呼が終了される場合，ＣＤＭＡ−２０００システムへの初期化（Initialization）作業を遂行して，前記ＭＭ−ＭＢ端末機をＣＤＭＡ−２０００遊休状態に転換するステップと；を含むことを特徴とする，モデム間切替方法が提供される。
【００２１】
本発明の第３の観点によれば，ＣＤＭＡ−２０００地域からオーバーレイ（Overlay）地域へ移動する遊休（Idle）状態のＭＭ−ＭＢ（Multimode-Multiband）端末機に内蔵されたモデム間切替方法であって：（ａ）ＣＤＭＡ−２０００遊休状態で動作しながら呼出チャンネル（Paging Channel）を周期的にモニタリング（Monitoring）するステップと；（ｂ）ＣＤＭＡ−２０００システムから受信するオーバーヘッドメッセージ（Overhead Message）を分析して，前記ＭＭ−ＭＢ端末機がオーバーレイ地域に位置するかどうかを判断するステップと；
（ｃ）オーバーレイ地域に位置する判断されれば，ＷＣＤＭＡモデムをオン（ＯＮ）状態に転換するステップと；
（ｄ）ＷＣＤＭＡシステムへの初期化（Initialization）作業を遂行して，前記ＭＭ−ＭＢ端末機をＷＣＤＭＡ遊休状態に転換するステップと；
を含むことを特徴とする，モデム間切替方法が提供される。
【００２２】
本発明の第４の観点によれば，  ＣＤＭＡ−２０００地域からオーバーレイ（Overlay）地域へ移動するトラフィック（Traffic）状態のＭＭ−ＭＢ（Multimode-Multiband）端末機に内蔵されたモデム間切替方法であって：（ａ）ＣＤＭＡ−２０００トラフィック状態で動作しながら呼出チャンネル（Paging Channel）を周期的にモニタリング（Monitoring）するステップと；（ｂ）ＣＤＭＡ−２０００システムから受信するオーバーヘッドメッセージ（Overhead Message）を分析して，前記ＭＭ−ＭＢ端末機がオーバーレイ地域に位置するかどうかを判断するステップと；（ｃ）オーバーレイ地域に位置する判断されれば，前記トラフィック状態を維持しながらＣＤＭＡ−２０００呼が終了されるかどうかを判断するステップと；（ｄ）前記ＣＤＭＡ−２０００呼が終了された場合，ＷＣＤＭＡモデムをオン（ＯＮ）状態に転換するステップと；（ｅ）ＷＣＤＭＡシステムへの初期化（Initialization）作業を遂行して，前記ＭＭ−ＭＢ端末機をＷＣＤＭＡ遊休状態に転換するステップと；を含むことを特徴とする，モデム間切替方法が提供される。
【００２３】
本発明の第５の観点によれば，  同期式ＣＤＭＡ−２０００サービスと非同期式ＷＣＤＭＡサービスの利用が可能であり，２つ以上の周波数帯域の利用が可能なマルチモード−マルチバンド（ＭＭ−ＭＢ:Multimode-Multiband）端末機であって：ＣＤＭＡ−２０００信号及び／またはＷＣＤＭＡ信号を送受信するＲＦ（Radio Frequency）アンテナと；前記ＲＦアンテナが伝達するＷＣＤＭＡパイロット信号を受信及び復調して，復調されたＷＣＤＭＡパイロット（Pilot）信号を出力するＲＦ送受信部と；前記復調されたＷＣＤＭＡパイロット信号の強さを測定してＥｃ／Ｉｏ値を生成して出力するパイロット信号測定部と；前記ＲＦ送受信部から受信するディジタル信号を処理し，それぞれＷＣＤＭＡ規格，ＣＤＭＡ−２０００規格に定義されたプロトコル（Protocol）により呼処理（Call Processing）を遂行するＷＣＤＭＡモデム及びＣＤＭＡ−２０００モデムと；前記Ｅｃ／Ｉｏ値を利用して前記ＷＣＤＭＡモデムと前記ＣＤＭＡ−２０００モデムとの間の切替を遂行するためのモデム間切替プログラムが格納されているフラッシュメモリ（Flash Memory）と；前記モデム間切替プログラムをローディングし受信する前記Ｅｃ／Ｉｏ値が所定のＣＤＭＡ−２０００オンしきい値（ＴＨＯＮ）より小さな値を有する経過時間が，所定のＣＤＭＡ−２０００オン条件時間（Ｈｄ）より大きければ，前記ＣＤＭＡ−２０００モデムをオン（ＯＮ）状態に転換するように制御する制御部と；を含むことを特徴とする，マルチモード−マルチバンド端末機が提供される。
【発明の効果】
【００２４】
前述したように，従来のＭＭ−ＭＢ端末機は，内蔵されたＷＣＤＭＡモデムとＣＤＭＡ−２０００モデムとの間の切替に比較的多くの時間が消耗される短所があったが，本発明によれば，オーバーレイ地域にあるＭＭ−ＭＢ端末機が受信するＷＣＤＭＡ信号の強さを持続的に測定して所定の一定レベル以下に落ちると，ＣＤＭＡ−２０００モデムを予めオンさせてモデム間切替時間を大幅に減らす効果がある。
【００２５】
また，ＣＤＭＡ−２０００モデムがオン状態に予め転換された場合にもＷＣＤＭＡ信号が，予め設定された一定レベル以上を一定時間維持すれば，オン状態のＣＤＭＡ−２０００モデムをオフさせＣＤＭＡ−２０００モデムの起動に従うＭＭ−ＭＢ端末機でのバッテリー消耗を最小化できる効果がある。
【発明を実施するための最良の形態】
【００２６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。また，本発明の説明において，関連した公知構成または機能に対する具体的な説明が本発明の要旨を曖昧にすることができると判断される場合には，その詳細な説明は省略する。
【００２７】
図３は，本発明の好ましい実施形態に係るＭＭ−ＭＢ端末機３００の内部構成を簡略に示すブロック図である。
【００２８】
本発明の好ましい実施形態に係るＭＭ−ＭＢ端末機３００は，図２で説明したＭＭ−ＭＢ端末機１１０と同様に，ＲＦアンテナ３１０，ＲＦ送受信部３２０，フィルタ部３３０，モデム部３４０及び制御部３６０の構成を含む。したがって，図２と同一な構成要素に対しては詳細な説明は省略する。一方，本発明の実施形態に係るＭＭ−ＭＢ端末機３００は，パイロット信号測定部３５０，フラッシュメモリ（Flash Memory）３７０及びタイマー（Timer）３８０を利用してＷＣＤＭＡモデム３４２とＣＤＭＡ−２０００モデム３４４間の速やかな切替を具現する。
【００２９】
本発明の実施形態に係るＭＭ−ＭＢ端末機３００でのモデム間切替過程について説明すれば次の通りである。ここで，本発明の実施形態において，オーバーレイ地域に位置しているＭＭ−ＭＢ端末機は，ＷＣＤＭＡシステムで利用する周波数を探索するＷＣＤＭＡ優先モード（Preferred Mode）で基本的に動作することと想定する。
【００３０】
ＷＣＤＭＡ優先モードで動作するＭＭ−ＭＢ端末機３００のパイロット信号測定部３５０は，ＲＦアンテナ３１０及びＲＦ送受信部３２０を通じて受信するＷＣＤＭＡパイロット（Pilot）信号を受信してＥｃ／Ｉｏ値を測定する。パイロット信号測定部３５０は測定したパイロット信号のＥｃ／Ｉｏ値を制御部３６０に伝達する。
【００３１】
ここで，Ｅｃ／Ｉｏ（Energy of Carrier/Interference of Others）は，受信される全ての雑音の大きさに対するパイロットチャンネルの信号強さの割合であって，パイロットチャンネルの信号品質を表す単位として利用される。一般に，Ｅｃ／Ｉｏ値は，通貨量が少なく，電波が重ならない地域では約−１〜−２ｄＢ，通貨量が多くて電波が重なる地域では約−６〜−１２ｄＢ，電波が重なる高層ビルの上層部などでは約−１０ｄＢ程度の値を有する。また，Ｅｃ／Ｉｏ値が−１０〜−１４ｄＢで音断絶現像が発生し始めて，−１４ｄＢ以下では通話不能状態となる。
【００３２】
また，ＷＣＤＭＡパイロット信号は，順方向物理チャンネルの共同パイロットチャンネル（ＣＰＩＣＨ:Common Pilot Channel）を通じて伝送される。共同パイロットチャンネルにおいて１つのスロットは２５６０チップ（Chip）からなっており，２０ｂｉｔｓの１０Ｓｙｍｂｏｌｓから構成される。また，１つのフレームは１５個のスロット（Slot）から構成されており，フレーム全体は７２個である。
【００３３】
制御部３６０はパイロット信号測定部３５０から受信するＥｃ／Ｉｏ値をチェックしてからＥｃ／Ｉｏ値がＣＤＭＡ−２０００モデム３４４の起動のための所定のＣＤＭＡ−２０００オンしきい値（ＴＨＯＮ）以下に落ちるかどうかを持続的に判断する。制御部３６０は測定するＥｃ／Ｉｏ値がＴＨＯＮ値より小さくなり始めると共に，内蔵されたタイマー３８０に駆動信号を生成及び伝送して経過時間を測定するように制御する。ここで，経過時間はＣＤＭＡ−２０００モデムの起動のためにＥｃ／Ｉｏ値<ＴＨＯＮ値である時間を意味する。制御部３６０は，測定する経過時間が所定のＣＤＭＡ−２０００オン（ＯＮ）条件時間（Ｈｄ）を超過し始めれば，ＣＤＭＡ−２０００モデム３４４が起動するように制御する。また，制御部３６０はＣＤＭＡ−２０００モデム３４４を起動させればＷＣＤＭＡモデム３４２の駆動を停止するように駆動停止信号を生成及び伝送するが，ＷＣＤＭＡモデム３４２の駆動停止までは略数秒の時間がかかる。
【００３４】
一方，本発明の好ましい実施形態において，制御部３６０がパイロット信号測定部３５０から受信するＥｃ／Ｉｏ値を利用してモデム間切替を速かに遂行するためのモデム間切替プログラムがフラッシュメモリ３７０に搭載されている。したがって，制御部３６０はパイロット信号測定部３５０から測定するＥｃ／Ｉｏ値が所定のＴＨＯＮより小さくなればフラッシュメモリ３７０に搭載されたモデム間切替プログラムをローディングしたり，受信するシステム情報を分析してオーバーレイ地域に進入したと判断されれば，モデム間切替プログラムをローディングできるのである。
【００３５】
図４は，本発明の第１実施形態により遊休状態のＭＭ−ＭＢ端末機がオーバーレイ地域からＣＤＭＡ−２０００地域へ移動する場合のＣＤＭＡ−２０００モデムの起動条件を示すグラフである。
【００３６】
オーバーレイ地域でＷＣＤＭＡ優先モードで動作するＭＭ−ＭＢ端末機３００は，ＷＣＤＭＡ網の無線基地局（ＵＲＡＮ:UMTS Radio Access Network）から受信するＥｃ／Ｉｏ値が所定のＴＨＯＮ値より小さくなる地点（ａ）から経過時間を計数し始める。ＭＭ−ＭＢ端末機３００は，経過時間が所定のＣＤＭＡ−２０００オン条件時間（Ｈｄ）を超過し始める（ｂ）地点からＣＤＭＡ−２０００モデム３４４が起動（Turn-on）されるように制御する。ここで，（ｂ）地点の以後にもＭＭ−ＭＢ端末機３００がオーバーレイ地域を外れていない状態であるので，ＷＣＤＭＡパイロット信号は続けて受信されることができる。
【００３７】
したがって，グラフ上の（ｂ）地点の以後からＣＤＭＡ−２０００モデム３４４の起動作業が予め進行されるので，ＣＤＭＡ−２０００地域に進入する前からＣＤＭＡ−２０００モードへの転換作業が遂行されて，モデム間切替作業にかかる時間が大いに減る効果がある。
【００３８】
図５は，本発明の第１実施形態により遊休状態のＭＭ−ＭＢ端末機がオーバーレイ地域からＣＤＭＡ−２０００地域へ移動する場合のＣＤＭＡ−２０００モデムの起動過程を示すフローチャートである。
【００３９】
図３と図５を共に参照して説明すれば，オーバーレイ地域でＭＭ−ＭＢ端末機３００は，ＷＣＤＭＡシステムの共同パイロットチャンネルに含まれたＷＣＤＭＡパイロット信号を受信し，ページングチャンネル（Paging Channel）メッセージを周期的に検索する遊休状態で動作する（Ｓ５００）。ＭＭ−ＭＢ端末機３００は，受信するＷＣＤＭＡパイロット信号のＥｃ／Ｉｏ値を測定する（Ｓ５０２）。
【００４０】
ＭＭ−ＭＢ端末機３００の制御部３６０は，測定したＥｃ／Ｉｏ値がＴＨＯＮ値より小さいかどうかを判断する（Ｓ５０４）。ＭＭ−ＭＢ端末機３００の制御部３６０は，ステップＳ５０４の判断結果，Ｅｃ／Ｉｏ値がＴＨＯＮ値より小さいと判断されれば，内蔵されたタイマー３８０を駆動し，経過時間を測定する（Ｓ５０６）。
【００４１】
制御部３６０は，測定する経過時間が所定のＣＤＭＡ−２０００モデムオン条件時間（Ｈｄ）を超過するかどうかを持続的に判断する（Ｓ５０８）。制御部３６０は，ステップＳ５０８の判断結果，測定される経過時間がＣＤＭＡ−２０００モデムオン条件時間（Ｈｄ）を超過したと判断されれば，ＣＤＭＡ−２０００モデム３４４が起動されるように制御する（Ｓ５１０）。
【００４２】
ステップＳ５１０において，ＣＤＭＡ−２０００モデム３４４が起動されたＭＭ−ＭＢ端末機３００は初期化（Initialization）作業を遂行する。ここで，初期化作業は端末機に必要な情報をセッティングした後，遊休状態に遷移するための環境を作ることをいう。初期化作業はシステム決定副状態（System Determination Substate），パイロットチャンネル獲得副状態（Pilot channel Acquisition Substate），シンクチャンネル獲得副状態（Sync Channel Acquisition Substate）などの順になされている。端末機初期化作業は，通常の当業者に広く公知された内容であるので，詳細な説明は省略する。
【００４３】
ステップＳ５１２において，ＣＤＭＡ−２０００初期化作業を完了したＭＭ−ＭＢ端末機３００は，ＣＤＭＡ−２０００遊休状態に転換される（Ｓ５１４）。
【００４４】
図６は，本発明の第２実施形態によりトラフィック状態のＭＭ−ＭＢ端末機がオーバーレイ地域からＣＤＭＡ−２０００地域へ移動する場合のＣＤＭＡ−２０００モデム３４４の起動条件を示すグラフである。
【００４５】
本発明の第２実施形態に係るトラフィック状態のＭＭ−ＭＢ端末機３００やはりオーバーレイ地域でＷＣＤＭＡ優先モードで動作し，無線基地局から受信するＥｃ／Ｉｏ値を利用してＣＤＭＡ−２０００モデム３４４が起動するまでの原理及び過程は図４で説明した内容と同一である。
【００４６】
しかしながら，本発明の第２実施形態によれば，ＭＭ−ＭＢ端末機３００は，トラフィック状態でＣＤＭＡ−２０００モデム３４４がオンされる（ｂ）地点の以後にもＥｃ／Ｉｏ値を持続的に測定する。（ｂ）地点の以後にもＭＭ−ＭＢ端末機３００がオーバーレイ地域を外れていない状態になることができるので，ＷＣＤＭＡパイロット信号は持続的に受信可能である。即ち，ＭＭ−ＭＢ端末機３００は，ＣＤＭＡ−２０００モデム３４４がターンオンされ始めてもＣＤＭＡ−２０００システムへの初期化が完了される前まではＷＣＤＭＡモデム３４２も駆動状態を維持してＷＣＤＭＡパイロット信号を続けて受信する。
【００４７】
一方，ＭＭ−ＭＢ端末機３００は，ＣＤＭＡ−２０００システムで初期化を完了する前までは受信されるＷＣＤＭＡパイロット信号のＥｃ／Ｉｏ値がターンオンされたＣＤＭＡ−２０００モデム３４４のターンオフのための所定のＣＤＭＡ−２０００オフしきい値（ＴＨＯＦＦ）以下に落ちるかどうかを持続的に判断する。
【００４８】
制御部３６０は，測定するＥｃ／Ｉｏ値がＴＨＯＦＦ値より大きくなり始める（（ｃ）地点）と共に，内蔵されたタイマー３８０に駆動信号を生成及び伝送して経過時間を測定するように制御する。ここで，経過時間はＣＤＭＡ−２０００モデム３４４のターンオフのためのＥｃ／Ｉｏ値>ＴＨＯＦＦ値である時間を意味する。
【００４９】
制御部３６０は，測定する経過時間が所定のＣＤＭＡ−２０００オフ条件時間（Ｈｃ）を超過し始めれば（（ｄ）地点），ＣＤＭＡ−２０００モデム３４４がオフされるように制御する。ここで，ＭＭ−ＭＢ端末機３００とＷＣＤＭＡシステムはＷＣＤＭＡ呼接続が終了された状態でないので，ＣＤＭＡ−２０００モデム３４４がオフされればＭＭ−ＭＢ端末機３００は初期状態であるＷＣＤＭＡトラフィック状態を維持する。
【００５０】
前述したように，ＷＣＤＭＡトラフィック状態でＣＤＭＡ−２０００モデム３４４がターンオンされた後にもＥｃ／Ｉｏ値が一定条件を充足させれば，ＣＤＭＡ−２０００モデム３４４をオフさせることにより，ＭＭ−ＭＢ端末機３００のバッテリー（Battery）消耗を減らすことができる効果がある。
【００５１】
図７は，本発明の第２実施形態によりトラフィック状態のＭＭ−ＭＢ端末機がオーバーレイ地域からＣＤＭＡ−２０００地域へ移動する場合のＣＤＭＡ−２０００モデム３４４の起動過程を示すフローチャートである。
【００５２】
図７と図３を共に参照して説明すれば，オーバーレイ地域でＭＭ−ＭＢ端末機３００はＷＣＤＭＡシステムとトラフィックチャンネルを通じて音声やデータを送受信するトラフィック状態で動作する（Ｓ７００）。ステップＳ７０２乃至ステップＳ７１０までの過程は図５で説明したステップＳ５０２乃至ステップＳ５１０までの過程と同一であるので詳細な説明は省略する。
【００５３】
ステップＳ７１０において，ＣＤＭＡ−２０００モデムの起動を始めたＭＭ−ＭＢ端末機３００はトラフィック状態のＷＣＤＭＡ呼が終了されるかを判断する（Ｓ７１２）。ＭＭ−ＭＢ端末機３００はステップＳ７１２でＷＣＤＭＡ呼が終了されたと判断されれば，ＷＣＤＭＡシステムでの他のサービスチャンネル（ＦＡ:Frequency Assignment）を検索する（Ｓ７１４）。
【００５４】
ＭＭ−ＭＢ端末機３００は，ステップＳ７１４の検索結果，ＷＣＤＭＡ信号が検索されるかどうかを判断する（Ｓ７１６）。ＭＭ−ＭＢ端末機３００は，ステップＳ７１６の判断結果，ＷＣＤＭＡ信号が検索されたと判断されれば，ＷＣＤＭＡ遊休状態に転換する（Ｓ７１８）。そうでなくて，ＭＭ−ＭＢ端末機３００はステップＳ７１６の判断結果，ＷＣＤＭＡ信号が検索できなかったと判断されれば，ＣＤＭＡ−２０００遊休状態に転換する（Ｓ７２０）。ここで，ＭＭ−ＭＢ端末機３００がＣＤＭＡ−２０００遊休状態に転換するためには，図５で説明したステップＳ５１２のようなＣＤＭＡ−２０００システムへの端末機初期化過程が先行されなければならない。
【００５５】
一方，前述したステップＳ７１４乃至ステップＳ７１８は，必須的なステップでなく選択的なステップであって，省略できるはずである。即ち，ステップＳ７１４乃至ステップＳ７１８は，ＭＭ−ＭＢ端末機３００がＣＤＭＡ−２０００モデム３４４のオン条件を充足させていない状態で非定常的にＷＣＤＭＡ呼が終了された場合に，隣接サービスチャンネルを検索してＭＭ−ＭＢ端末機３００とＷＣＤＭＡシステムの接続状態を維持するためのステップである。したがって，ＭＭ−ＭＢ端末機３００をＣＤＭＡ−２０００遊休状態に一層速く転換するようにすることに比重を置けば，ステップＳ７１４乃至ステップＳ７１８を省略してステップＳ７１２でＷＣＤＭＡ呼が終了されれば，まさにＣＤＭＡ−２０００遊休状態に転換されるようにすることができる。
【００５６】
一方，ＭＭ−ＭＢ端末機３００は，ステップＳ７１２でＷＣＤＭＡ呼が終了されなかったと判断されれば，受信するＷＣＤＭＡパイロット信号のＥｃ／Ｉｏ値が所定のＴＨＯＦＦ値より大きくなるかを判断する（Ｓ７２２）。ＭＭ−ＭＢ端末機３００は，ステップＳ７２２の判断結果，Ｅｃ／Ｉｏ値がＴＨＯＦＦ値より大きいと判断されれば，内蔵されたタイマー３８０を駆動して経過時間を測定するように制御する（Ｓ７２４）。一方，ＭＭ−ＭＢ端末機３００は，ステップＳ７２２の判断結果，Ｅｃ／Ｉｏ値がＴＨＯＦＦ値より大きくないと判断されれば，ステップＳ７１２に進行してＷＣＤＭＡ呼が終了されるかをチェックする。
【００５７】
ＭＭ−ＭＢ端末機３００は，ステップＳ７２４で測定した経過時間がＣＤＭＡ−２０００オフ条件時間（Ｈｃ）を超過するかどうかを判断する（Ｓ７２６）。ＭＭ−ＭＢ端末機３００は，ステップＳ７２６の判断結果，経過時間がＨｃを超過し始めたと判断されれば，ＣＤＭＡ−２０００モデム３４４をオフする（Ｓ７２６）。ＣＤＭＡ−２０００モデム３４４をオフしたＭＭ−ＭＢ端末機３００は，ステップＳ７０２に進行して受信するＷＣＤＭＡパイロット信号でＥｃ／Ｉｏ値を測定する作業を繰り返す。
【００５８】
一方，ＭＭ−ＭＢ端末機３００は，ステップＳ７２６の判断結果持，続時間がＨｃを超過していないと判断されれば，ステップＳ７１２に進行してＷＣＤＭＡ呼が終了されるかどうかをチェックする。
【００５９】
図８は，本発明の第３実施形態により遊休状態のＭＭ−ＭＢ端末機がＣＤＭＡ−２０００地域からオーバーレイ地域へ移動する場合のＷＣＤＭＡモデム３４２の起動過程を示すフローチャートである。
【００６０】
図３を共に参照して説明すれば，ＣＤＭＡ−２０００地域でＭＭ−ＭＢ端末機３００はＣＤＭＡ−２０００遊休状態で動作する（Ｓ８００）。ＣＤＭＡ−２０００遊休状態で動作するＭＭ−ＭＢ端末機３００は，呼出チャンネルメッセージ（Paging Channel Message）を検索するために呼出チャンネルを周期的にモニタリングする（Ｓ８０２）。一般に，呼出チャンネルにはシステムの全ての状態情報と端末機がシステムに接続するための情報が１．２８秒毎にシステムから端末機に伝送される。
【００６１】
ＭＭ−ＭＢ端末機３００は，ＣＤＭＡ−２０００システムから伝送される呼出チャンネルメッセージのうち，オーバーヘッドメッセージを分析する（Ｓ８０４）。ここで，オーバーヘッドメッセージ（Overhead Message）はシステムに登録された全ての端末機に伝送するメッセージであって，環境パラメータ（Configuration Parameter）と接続パラメータ（Access Parameter）とに大別される。環境パラメータは主にシステムの環境情報と周辺システムの構成情報が含まれ，接続パラメータは端末機がシステムに接続するための情報が含まれている。
【００６２】
特に，環境パラメータにはシステムパラメータメッセージ（System Parameter Message），隣接目録メッセージ（Neighbor List Message），ＣＤＭＡチャンネルリストメッセージ（ＣＤＭＡ Channel List Message），拡張システムパラメータメッセージなどから構成されている。ここで，システムパラメータメッセージは，システム情報を伝送する最も重要なメッセージであって，ＰＮ（Pseudo Noise）コード，ＳＩＤ（System Identification），ＮＩＤ（Network Identification），Ｂａｓｅ  ＩＤなどのシステム情報，登録関連情報，ハンドオフ情報，電力制御情報などが含まれている。
【００６３】
ＭＭ−ＭＢ端末機３００は，ステップＳ８０４で受信及び分析したシステムパラメータメッセージのＢａｓｅ  ＩＤ情報を確認して自身が位置している地域がオーバーレイ地域であるかどうかを判断する（Ｓ８０６）。ＭＭ−ＭＢ端末機３００は，ステップＳ８０６の判断結果，オーバーレイ地域と判断されれば，ＷＣＤＭＡモデム３４２をオン状態に転換する（Ｓ８０８）。
【００６４】
ＷＣＤＭＡモデム３４２をオン状態に転換したＭＭ−ＭＢ端末機３００は，ＷＣＤＭＡシステムへの初期化作業を遂行する（Ｓ８１０）。ここで，ＭＭ−ＭＢ端末機３００が遂行するＷＣＤＭＡシステムへの初期化作業は，図５のステップＳ５１２で説明したことと類似するので詳細な説明は省略する。ステップＳ８１０において，ＷＣＤＭＡシステムへの初期化作業を完了したＭＭ−ＭＢ端末機３００は，ＷＣＤＭＡ遊休状態に転換される（Ｓ８１２）。
【００６５】
図９は，本発明の第４実施形態によりトラフィック状態のＭＭ−ＭＢ端末機がＣＤＭＡ−２０００地域からオーバーレイ地域へ移動する場合のＷＣＤＭＡモデム３４２の起動過程を示すフローチャートである。
【００６６】
図３を共に参照して説明すれば，ＣＤＭＡ−２０００地域でＭＭ−ＭＢ端末機３００はＣＤＭＡ−２０００システムとトラフィックチャンネルを通じて音声やデータを送受信するトラフィック状態で動作する（Ｓ９００）。ステップＳ９０２乃至ステップＳ９０６までの過程は，図８で説明したステップＳ８０２乃至ステップＳ８０６までの過程と同一であるので，詳細な説明は省略する。
【００６７】
ＭＭ−ＭＢ端末機３００は，ステップＳ９０６の判断結果，オーバーレイ地域と判断されてもＷＣＤＭＡモデム３４２をオン状態に直ぐに転換しなくて，オーバーレイ地域でもＣＤＭＡ−２０００サービスの提供が可能であるので，ＣＤＭＡ−２０００トラフィック状態を維持する（Ｓ９０８）。ＣＤＭＡ−２０００トラフィック状態を維持するＭＭ−ＭＢ端末機３００は，ＣＤＭＡ−２０００呼が終了されるかどうかを持続的に判断する（Ｓ９１０）。
【００６８】
ＭＭ−ＭＢ端末機３００は，ステップＳ９１０の判断結果，ＣＤＭＡ−２０００呼が終了されたと判断されれば，ＣＤＭＡ−２０００無線基地局から伝送されるオーバーヘッドメッセージを分析する（Ｓ９１２）。ＭＭ−ＭＢ端末機３００は，ステップＳ９１２で受信したオーバーヘッドメッセージの分析作業を通じてオーバーレイ地域がＷＣＤＭＡ優先モードであることを把握する。受信したオーバーヘッドメッセージを通じてＷＣＤＭＡ優先モード地域へ移動したことを認知したＭＭ−ＭＢ端末機３００は，ＷＣＤＭＡモデムをオン状態に転換する（Ｓ９１４）。ＷＣＤＭＡモデムをオン状態に転換したＭＭ−ＭＢ端末機３００は，ＷＣＤＭＡシステムへの初期化作業を遂行し（Ｓ９１６），ＷＣＤＭＡ遊休状態に転換する（Ｓ９１８）。
【００６９】
以上の説明は，本発明を例示的に説明したことに過ぎないものであって，本発明が属する技術分野で通常の知識を有する者であれば発明の本質的な特性から外れない範囲で多様な変形が可能であるはずである。したがって，本明細書に開示された実施形態は本発明を限るためのものでなく，説明するためのものであり，このような実施形態により本発明の思想と範囲が限るのではない。本発明の範囲は請求範囲により解析されるべきであり，それと同等な範囲内にある全ての技術は本発明の権利範囲に含まれることと解析されるべきである。
【図面の簡単な説明】
【００７０】
【図１】ＣＤＭＡ−２０００網が基本的に構築された通信環境でＷＣＤＭＡサービスを提供するための移動通信網を簡略に示すブロック図である。
【図２】従来のＭＭ−ＭＢ端末機の内部構成を簡略に示すブロック図である。
【図３】本発明の好ましい実施形態に係るＭＭ−ＭＢ端末機の内部構成を簡略に示すブロック図である。
【図４】本発明の第１実施形態により遊休状態のＭＭ−ＭＢ端末機がオーバーレイ地域からＣＤＭＡ−２０００地域へ移動する場合のＣＤＭＡ−２０００モデムの起動条件を示すグラフである。
【図５】本発明の第１実施形態により遊休状態のＭＭ−ＭＢ端末機がオーバーレイ地域からＣＤＭＡ−２０００地域へ移動する場合のＣＤＭＡ−２０００モデムの起動過程を示すフローチャートである。
【図６】本発明の第２実施形態によりトラフィック状態のＭＭ−ＭＢ端末機がオーバーレイ地域からＣＤＭＡ−２０００地域へ移動する場合のＣＤＭＡ−２０００モデムの起動条件を示すグラフである。
【図７】本発明の第２実施形態によりトラフィック状態のＭＭ−ＭＢ端末機がオーバーレイ地域からＣＤＭＡ−２０００地域へ移動する場合のＣＤＭＡ−２０００モデムの起動過程を示すフローチャートである。
【図８】本発明の第３実施形態により遊休状態のＭＭ−ＭＢ端末機がＣＤＭＡ−２０００地域からオーバーレイ地域へ移動する場合のＷＣＤＭＡモデムの起動過程を示すフローチャートである。
【図９】本発明の第４実施形態によりトラフィック状態のＭＭ−ＭＢ端末機がＣＤＭＡ−２０００地域からオーバーレイ地域へ移動する場合のＷＣＤＭＡモデムの起動過程を示すフローチャートである。
【符号の説明】
【００７１】
１１０，１１２，３００  マルチモード−マルチバンド端末機
１２０    ＣＤＭＡ−２０００地域
１３０，１４０    オーバーレイ地域
２１０，３１０    ＲＦアンテナ
２２０，３２０    ＲＦ送受信部
２３０，３３０    フィルタ部
２３２    ＷＣＤＭＡフィルタ
２３４    ＣＤＭＡ−２０００フィルタ
２４０，３４０    モデム部
２４２，３４２    ＷＣＤＭＡモデム
２４４，３４４    ＣＤＭＡ−２０００モデム
２５０，３６０    制御部
３５０    パイロット信号測定部
３７０    フラッシュメモリ
３８０    タイマー
【図１】
2007508738.tif 000003
【図２】
2007508738.tif 000004
【図３】
2007508738.tif 000005
【図４】
2007508738.tif 000006
【図５】
2007508738.tif 000007
【図６】
2007508738.tif 000008
【図７】
2007508738.tif 000009
【図８】
2007508738.tif 000010
【図９】
2007508738.tif 000011
【国際調査報告】
2007508738.tif 000012
2007508738.tif 000013